(57)【要約】本発明は、調理鍋の迅速な交換を実現するフランジアセンブリ及びこのフランジアセンブリを利用する調理鍋の組み合わせ装置を開示し、前記調理鍋の組み合わせ装置は、フランジアセンブリ１、調理鍋２、加熱装置３、ブラケット４および駆動装置５を含み、加熱装置３は、内部容器３１およびハウジング３２を含み、フランジアセンブリ１は、第１のフランジ１１および第２のフランジ１２を含み、ハウジング３２は、ブラケット４に固定連結され、内部容器３１は、ハウジング３２内に収容され、調理鍋２は、内部容器３１に装着され、第１のフランジ１１は、調理鍋２の底部に連結され、第１のフランジ１１は、内部容器３１およびハウジング３２の底部を順次に貫通し、第１のフランジ１１は、第２のフランジ１２に着脱可能に連結され、第２のフランジ１２は、駆動装置５に回動可能に連結され、駆動装置５は、ブラケット４に固定連結される。調理鍋２の交換時に、第１のフランジ１１を第２のフランジ１２から迅速に取り外させて、調理鍋２と駆動装置５の分離を完了することができるので、調理鍋２の迅速な脱着を実現し、また第１のフランジ１１を介して新しい調理鍋２を第２のフランジ１２に着脱可能に連結させて、フランジアセンブリ１を介して調理鍋２を駆動装置５に迅速に装着することができるので、調理鍋２の迅速な交換を実現することができる。【選択図】図２
2021501643.tif 000002
【特許請求の範囲】
【請求項１】
調理鍋の組み合わせ装置であって、
フランジアセンブリ、調理鍋、加熱装置、ブラケットおよび駆動装置を含み、前記加熱装置は、内部容器およびハウジングを含み、前記フランジアセンブリは、第１のフランジおよび第２のフランジを含み、前記ハウジングは、前記ブラケットに固定連結され、前記内部容器は、前記ハウジング内に収容され、前記調理鍋は、前記内部容器に装着され、前記第１のフランジは、前記調理鍋の底部に連結され、前記第１のフランジは、前記内部容器および前記ハウジングの底部を順次に貫通し、前記第１のフランジは、前記第２のフランジに着脱可能に連結され、前記第２のフランジは、前記駆動装置に回動可能に連結され、前記駆動装置は、前記ブラケットに固定連結されることを特徴とする、調理鍋の組み合わせ装置。
【請求項２】
前記第１のフランジの側面には、少なくとも１つの係止ピンが設置され、前記第２のフランジの側面には、少なくとも１つの係止口が設置され、前記係止ピンは、前記係止口に係合されることを特徴とする、
請求項１に記載の調理鍋の組み合わせ装置。
【請求項３】
前記第１のフランジの側面には、少なくとも１つの係止口が設置され、前記第２のフランジの側面には、少なくとも１つの係止ピンが設置され、前記係止ピンは、前記係止口に係合されることを特徴とする、
請求項１に記載の調理鍋の組み合わせ装置。
【請求項４】
前記係止口は、Ｕ型であり、前記係止口の一端は、密閉ポートであり、前記係止口の他端は、開放ポートであり、前記係止口の密閉ポートと前記係止口の開放ポートは、特定の垂直距離だけ離れていることを特徴とする、
請求項２または３に記載の調理鍋の組み合わせ装置。
【請求項５】
前記フランジアセンブリは、少なくとも１つの第１の弾性部材をさらに含み、前記第１のフランジには、その上部と下部の表面を貫通する第１のスルーホールが設置され、前記第２のフランジには、第１の収容溝が設置され、前記第１の収容溝の底部には、少なくとも１つの位置決めピンが設置され、前記第１の弾性部材は、前記位置決めピンにスリーブされ、前記係止ピンと前記係止口が係合される場合、前記第１の弾性部材の一端は、前記第１のスルーホールを通過して前記調理鍋の底部に当接され、前記第１の弾性部材の他端は、前記第１の収容溝の底部に当接されることを特徴とする、
請求項２または３に記載の調理鍋の組み合わせ装置。
【請求項６】
前記フランジアセンブリは、プッシュ式スプリング内部カバーとプッシュ式スプリング外部カバーをさらに含み、前記プッシュ式スプリング内部カバーの外壁には、第１の環状鍔が設置され、前記プッシュ式スプリング内部カバーには、第２の収容溝がさらに設置され、前記プッシュ式スプリング外部カバーは、ベースと、前記ベースに設置された第１のボスとを含み、前記プッシュ式スプリング外部カバーには、その上部と下部の表面を貫通する第２のスルーホールが設置され、前記第２のスルーホールの内壁には、第２の環状鍔が設置され、前記プッシュ式スプリング内部カバーは、前記第２の収容溝を介して前記第１の弾性部材にカバー設置され、前記プッシュ式スプリング外部カバーは、前記第２のスルーホールを介して前記プッシュ式スプリング内部カバーにスリーブされ、前記第１の環状鍔と前記第２の環状鍔は対向されるように設置され、また前記第２の環状鍔の下側に設置され、前記プッシュ式スプリング外部カバーは、前記ベースを介して前記第１の収容溝の底部に固定連結され、前記係止ピンと前記係止口が係合される場合、前記第１の弾性部材の一端は、前記第２の収容溝の底部を介して前記調理鍋の底部に当接されることを特徴とする、
請求項５に記載の調理鍋の組み合わせ装置。
【請求項７】
前記フランジアセンブリは、ガイド部材をさらに含み、前記ガイド部材には、第３の収容溝が設置され、前記ガイド部材は、前記第３の収容溝を介して前記プッシュ式スプリング内部カバーにスリーブ連結されることを特徴とする、
請求項６に記載の調理鍋の組み合わせ装置。
【請求項８】
前記調理鍋の組み合わせ装置は、弾性支持装置をさらに含み、前記弾性支持装置は、環状ベースと、前記環状ベースに均一に分布された複数の弾性支持構造とを含み、前記環状ベースには、少なくとも１つの装着部が設置され、前記環状ベースと内部容器の最上部はお互いに接触され、前記環状ベースは、前記装着部を介して前記ブラケットに固定連結され、前記弾性支持構造は、装着シート、加圧部材、最上部軸、最上部ビーズおよび第２の弾性部材を含み、前記装着シートには、第３のスルーホールが設置され、前記最上部軸の一端は、前記加圧部材に固定連結され、前記最上部軸の他端は、前記第３のスルーホールを貫通し、前記最上部軸の側面には、第２のボスが設置され、前記第２の弾性部材は、前記最上部軸にスリーブされ、前記第２の弾性部材の一端は、前記加圧部材に当接され、前記第２の弾性部材の他端は、前記第２のボスの一端に当接され、前記第２のボスの他端は、前記装着シートに当接され、前記加圧部材は、前記装着シートに固定連結され、前記最上部ビーズは、前記最上部軸の他端に固定連結され、前記弾性支持構造は、前記装着シートを介して前記環状ベースに固定連結され、前記調理鍋が前記加熱装置に装着される場合、前記最上部ビーズは、前記調理鍋の外側壁に当接されることを特徴とする、
請求項１に記載の調理鍋の組み合わせ装置。
【請求項９】
前記調理鍋の組み合わせ装置は、保護シェルをさらに含み、前記調理鍋、前記加熱装置、前記ブラケットおよび前記駆動装置はすべて、前記保護シェル内に収容され、前記保護シェルは、上部保護シェルおよび下部保護シェルを含み、前記ブラケットは、ブラケット本体と、前記ブラケット本体に設置された少なくとも１つの連結アームとを含み、前記連結アームの上部には、第１の挿入連結部が設置され、前記上部保護シェルには、第１の挿入連結口が設置され、前記第１の挿入連結部は、前記第１の挿入連結口内に挿入設置され、前記連結アームの下部には、第２の挿入連結部が設置され、前記下部保護シェルには、第２の挿入連結口が設置され、前記第２の挿入連結部は、前記第２の挿入連結口内に挿入設置されることを特徴とする、
請求項１に記載の調理鍋の組み合わせ装置。
【請求項１０】
前記ブラケットは、支持シートをさらに含み、前記ハウジングは、前記支持シートを介して前記ブラケットに固定連結され、前記支持シートには、第４のスルーホールが設置され、前記第１のフランジは、前記内部容器の底部、前記ハウジングの底部および前記第４のスルーホールを順次に貫通することを特徴とする、
請求項１に記載の調理鍋の組み合わせ装置。
【発明の詳細な説明】
【技術分野】
【０００１】
本発明は、スマート家電製品技術分野に関し、特に、調理鍋の組み合わせ装置に関する。
【背景技術】
【０００２】
現在、既存の調理機の調理鍋は、一般的に、そのベースのスピン軸を介して回動可能に駆動装置に連結され、調理機の調理機能を実現するために駆動装置を介して調理鍋を回転するように駆動させる。
【０００３】
調理機の使用過程では、調理鍋は、一定の使用寿命を持つため、使用寿命に達すると、調理鍋を交換しなければならないが、調理鍋がそのベースのスピン軸を介して駆動装置に直接に連結されるので、調理鍋の脱着が不便になり、それによって調理鍋を迅速に交換することができなくなる。
【発明の概要】
【発明が解決しようとする課題】
【０００４】
本発明の目的は、使用寿命に達した時に迅速な交換が不可能な既存の調理鍋の技術的課題を解決することにより、調理鍋の迅速な交換を実現するための調理鍋の組み合わせ装置を提供するものである。
【課題を解決するための手段】
【０００５】
上記の技術的課題を解決するために、本発明は、フランジアセンブリ、調理鍋、加熱装置、ブラケットおよび駆動装置を含み、前記加熱装置は、内部容器およびハウジングを含み、前記フランジアセンブリは、第１のフランジおよび第２のフランジを含み、前記ハウジングは、前記ブラケットに固定連結され、前記内部容器は、前記ハウジング内に収容され、前記調理鍋は、前記内部容器に装着され、前記第１のフランジは、前記調理鍋の底部に連結され、前記第１のフランジは、前記内部容器および前記ハウジングの底部を順次に貫通し、前記第１のフランジは、前記第２のフランジに着脱可能に連結され、前記第２のフランジは、前記駆動装置に回動可能に連結され、前記駆動装置は、前記ブラケットに固定連結される調理鍋の組み合わせ装置を提供する。
【０００６】
好ましい態様として、前記第１のフランジの側面には、少なくとも１つの係止ピンが設置され、前記第２のフランジの側面には、少なくとも１つの係止口が設置され、前記係止ピンは、前記係止口に係合される。
【０００７】
好ましい態様として、前記第１のフランジの側面には、少なくとも１つの係止口が設置され、前記第２のフランジの側面には、少なくとも１つの係止ピンが設置され、前記係止ピンは、前記係止口に係合される。
【０００８】
好ましい態様として、前記係止口は、Ｕ型であり、ここで、前記係止口の一端は、密閉ポートであり、前記係止口の他端は、開放ポートであり、前記係止口の密閉ポートと前記係止口の開放ポートは、特定の垂直距離だけ離れている。
【０００９】
好ましい態様として、前記フランジアセンブリは、少なくとも１つの第１の弾性部材をさらに含み、前記第１のフランジには、その上部と下部の表面を貫通する第１のスルーホールが設置され、前記第２のフランジには、第１の収容溝が設置され、前記第１の収容溝の底部には、少なくとも１つの位置決めピンが設置され、前記第１の弾性部材は、前記位置決めピンにスリーブされ、前記係止ピンと前記係止口が係合される場合、前記第１の弾性部材の一端は、前記第１のスルーホールを通過して前記調理鍋の底部に当接され、前記第１の弾性部材の他端は、前記第１の収容溝の底部に当接される。
【００１０】
好ましい態様として、前記フランジアセンブリは、プッシュ式スプリング内部カバーとプッシュ式スプリング外部カバーをさらに含み、前記プッシュ式スプリング内部カバーの外壁には、第１の環状鍔が設置され、前記プッシュ式スプリング内部カバーには、第２の収容溝がさらに設置され、前記プッシュ式スプリング外部カバーは、ベースと、前記ベースに設置された第１のボスとを含み、前記プッシュ式スプリング外部カバーには、その上部と下部の表面を貫通する第２のスルーホールが設置され、前記第２のスルーホールの内壁には、第２の環状鍔が設置され、前記プッシュ式スプリング内部カバーは、前記第２の収容溝を介して前記第１の弾性部材にカバー設置され、前記プッシュ式スプリング外部カバーは、前記第２のスルーホールを介して前記プッシュ式スプリング内部カバーにスリーブされ、前記第１の環状鍔と前記第２の環状鍔は対向されるように設置され、また前記第２の環状鍔の下側に設置され、前記プッシュ式スプリング外部カバーは、前記ベースを介して前記第１の収容溝の底部に固定連結され、前記係止ピンと前記係止口が係合される場合、前記第１の弾性部材の一端は、前記第２の収容溝の底部を介して前記調理鍋の底部に当接される。
【００１１】
好ましい態様として、前記フランジアセンブリは、ガイド部材をさらに含み、前記ガイド部材には、第３の収容溝が設置され、前記ガイド部材は、前記第３の収容溝を介して前記プッシュ式スプリング内部カバーにスリーブ連結される。
【００１２】
好ましい態様として、前記調理鍋の組み合わせ装置は、弾性支持装置をさらに含み、前記弾性支持装置は、環状ベースと、前記環状ベースに均一に分布された複数の弾性支持構造とを含み、前記環状ベースには、少なくとも１つの装着部が設置され、前記環状ベースと内部容器の最上部はお互いに接触され、前記環状ベースは、前記装着部を介して前記ブラケットに固定連結され、前記弾性支持構造は、装着シート、加圧部材、最上部軸、最上部ビーズおよび第２の弾性部材を含み、前記装着シートには、第３のスルーホールが設置され、前記最上部軸の一端は、前記加圧部材に固定連結され、前記最上部軸の他端は、前記第３のスルーホールを貫通し、前記最上部軸の側面には、第２のボスが設置され、前記第２の弾性部材は、前記最上部軸にスリーブされ、前記第２の弾性部材の一端は、前記加圧部材に当接され、前記第２の弾性部材の他端は、前記第２のボスの一端に当接され、前記第２のボスの他端は、前記装着シートに当接され、前記加圧部材は、前記装着シートに固定連結され、前記最上部ビーズは、前記最上部軸の他端に固定連結され、前記弾性支持構造は、前記装着シートを介して前記環状ベースに固定連結され、前記調理鍋が前記加熱装置に装着される場合、前記最上部ビーズは、前記調理鍋の外側壁に当接される。
【００１３】
好ましい態様として、前記調理鍋の組み合わせ装置は、保護シェルをさらに含み、前記調理鍋、前記加熱装置、前記ブラケットおよび前記駆動装置はすべて前記保護シェル内に収容され、前記保護シェルは、上部保護シェルおよび下部保護シェルを含み、前記ブラケットは、ブラケット本体と、前記ブラケット本体に設置された少なくとも１つの連結アームとを含み、前記連結アームの上部には、第１の挿入連結部が設置され、前記上部保護シェルには、第１の挿入連結口が設置され、前記第１の挿入連結部は、前記第１の挿入連結口内に挿入設置され、前記連結アームの下部には、第２の挿入連結部が設置され、前記下部保護シェルには、第２の挿入連結口が設置され、前記第２の挿入連結部は、前記第２の挿入連結口内に挿入設置される。
【００１４】
好ましい態様として、前記ブラケットは、支持シートをさらに含み、前記ハウジングは、前記支持シートを介して前記ブラケットに固定連結され、前記支持シートには、第４のスルーホールが設置され、前記第１のフランジは、前記内部容器の底部、前記ハウジングの底部および前記第４のスルーホールを順次に貫通する。
【発明の効果】
【００１５】
本発明は、調理鍋の組み合わせ装置を提供し、前記調理鍋の組み合わせ装置は、フランジアセンブリ、調理鍋、加熱装置、ブラケットおよび駆動装置を含み、加熱装置は、内部容器およびハウジングを含み、フランジアセンブリは、第１のフランジおよび第２のフランジを含み、ハウジングは、ブラケットに固定連結され、内部容器は、ハウジング内に収容され、調理鍋は、内部容器に装着され、第１のフランジは、調理鍋の底部に連結され、第１のフランジは、内部容器およびハウジングの底部を順次に貫通し、第１のフランジは、第２のフランジに着脱可能に連結され、第２のフランジは、駆動装置に回動可能に連結され、駆動装置は、ブラケットに固定連結される。調理鍋の交換時に、第１のフランジを第２のフランジから迅速に取り外して、調理鍋と駆動装置の分離または交換を完了することができるので、調理鍋の迅速な取り外しを実現し、また第１のフランジを介して新しい調理鍋を第２のフランジに脱着可能に連結させて、フランジアセンブリを介して調理鍋を駆動装置に迅速に装着することができるので、調理鍋の迅速な交換を実現することができる。
【図面の簡単な説明】
【００１６】
【図１】本発明の実施例における調理鍋の組み合わせ装置の構造模式図である。
【図２】本発明の実施例における調理鍋の組み合わせ装置の分解図である。
【図３】本発明の実施例におけるフランジアセンブリの分解図である。
【図４】本発明の実施例における第１のフランジの構造模式図である。
【図５】本発明の実施例における第２のフランジの構造模式図である。
【図６】本発明の実施例におけるプッシュ式スプリング内部カバーの構造模式図である。
【図７】本発明の実施例におけるプッシュ式スプリング外部カバーの構造模式図である。
【図８】本発明の実施例におけるガイド部材の構造模式図である。
【図９】本発明の実施例における環状ベースと加熱装置およびブラケットの結合関係図である。
【図１０】本発明の実施例における環状ベースの構造模式図である。
【図１１】本発明の実施例における弾性支持装置の構造模式図。
【図１２】本発明の実施例におけるブラケットの構造模式図である。
【図１３】本発明の実施例における保護シェルの分解図である。
【図１４】本発明の実施例における調理鍋の正面図である。
【発明を実施するための形態】
【００１７】
以下、図面及び実施例を参照して、本発明の具体的な実施形態をより詳細に説明する。以下の実施例は、本発明を説明するためのもので、本発明の範囲を制限するためではない。
【００１８】
図１及び図２に示したように、本発明の好ましい実施例の調理鍋の組み合わせ装置は、フランジアセンブリ１、調理鍋２、加熱装置３、ブラケット４および駆動装置５を含み、前記加熱装置３は、内部容器３１およびハウジング３２を含み、前記フランジアセンブリ１は、第１のフランジ１１および第２のフランジ１２を含み、前記ハウジング３２は、前記ブラケット４に固定連結され、前記内部容器３１は、前記ハウジング３２内に収容され、前記調理鍋２は、前記内部容器３１に装着され、前記第１のフランジ１１は、前記調理鍋２の底部に連結され、前記第１のフランジ１１は、前記内部容器３１および前記ハウジング３２の底部を順次に貫通し、前記第１のフランジ１１は、前記第２のフランジ１２に着脱可能に連結され、前記第２のフランジ１２は、前記駆動装置５に回動可能に連結され、前記駆動装置５は、前記ブラケット４に固定連結される。
【００１９】
本発明の実施例において、前記調理鍋２の交換時に、前記第１のフランジ１１を前記第２のフランジ１２から迅速に取り外して、前記調理鍋２と前記駆動装置５の分離することで、前記調理鍋２の迅速な取り外しを実現することができ、また前記第１のフランジ１１を介して新しい調理鍋２を第２のフランジ１２に脱着可能に連結させて、前記フランジアセンブリ１を介して前記調理鍋２を前記駆動装置５に迅速に装着することで、前記調理鍋２の迅速な交換を実現することができる。
【００２０】
図２ないし図５に示したように、前記第１のフランジ１１が前記第２のフランジ１２に脱着可能に連結されるように構造を合理化するために、本実施例における前記第１のフランジ１１の側面には、少なくとも１つの係止ピン１１１（または係止口１２１）が設置され、前記第２のフランジ１２の側面には、少なくとも１つの係止口１２１（または係止ピン１１１）が設置され、前記係止ピン１１１と前記係止口１２１が係合され、前記係止ピン１１１を介する前記係止口１２１との係合により、前記調理鍋２は、前記第１のフランジ１１を介して前記第２のフランジ１２に迅速に取り外されまたは装着され、それによって前記調理鍋２の迅速な交換を実現することができる。
【００２１】
図２ないし図５に示したように、前記係止ピン１１１と前記係止口１２１の係合の堅固性と便利性を向上させるために、本実施例における前記係止口１２１は、Ｕ型であり、ここで、前記係止口１２１の一端は、密閉ポートであり、前記係止口１２１の他端は、開放ポートであり、前記係止口１２１の的密閉ポートと前記係止口１２１の開放ポートは、特定の垂直距離だけ離れ、前記係止ピン１１１が堅固に前記係止口１２１に係合されるように、前記係止ピン１１１は、前記係止口１２１の開放ポートから前記係止口１２１内に入り、前記係止口１２１の密閉ポートに係合され、同時に前記係止ピン１１１と前記係止口１２１の係合の便利性の向上にも有利で、それによって前記調理鍋２の交換速度の向上に有利である。
【００２２】
本発明の実施例において、前記係止ピン１１１の形状は、直方体、円柱または他の任意の形状などのように、実際の使用ニーズに応じて設定されることができる。前記係止ピン１１１と前記係止口１２１の密閉ポートを十分に接触させて、前記係止ピン１１１と前記係止口１２１の係合の堅固性を向上させるために、好ましくは、本実施例における前記係止ピン１１１の形状は直方体である。
【００２３】
本発明の実施例において、前記係止ピン１１１の数は、３つ、４つ、５つなどのように、実際の使用ニーズに応じて設定されることができる。前記第１のフランジ１１が前記第２のフランジ１２に堅固に係合することができ、コストを低減させるように構造を簡素化するために、本実施例における前記係止ピン１１１は、４つであることが好ましく、対応的に、前記係止口１２１は、４つであり、前記係止ピン１１１と前記係止口１２１は、一対一で対応される関係である。
【００２４】
なお、本発明の実施例において、留意すべき点は、前記第１のフランジ１１が前記第２のフランジ１２に係合される場合、前記第１のフランジ１１の側面の各位置を前記第２のフランジ１２に堅固に係合させるために、前記第１のフランジ１１の側面が均一に応力を受けるように、本実施例における４つの前記係止ピン１１１（または前記係止口１２１）は、前記第１のフランジ１１の側面で円形に配列され、対応的に、４つの前記係止口１２１（または前記係止ピン１１１）は、前記第２のフランジ１２の側面に円形に配列される。
【００２５】
図２ないし図５に示したように、前記係止ピン１１１と前記係止口１２１が係合される場合、前記調理鍋２に上向き支持力を提供するために、本実施例における前記フランジアセンブリ１は、少なくとも１つの弾性部材１３をさらに含み、前記第１のフランジ１１には、その上部と下部の表面を貫通する第１のスルーホール１１２が設置され、前記第２のフランジ１２には、第１の収容溝１２２が設置され、前記第１の収容溝１２２の底部上には、少なくとも１つの位置決めピン１２３が設置され、前記弾性部材１３は、前記位置決めピン１２３にスリーブされ、前記係止ピン１１１と前記係止口１２１が係合される場合、前記弾性部材１３の一端は、前記第１のスルーホール１１２を貫通して、前記調理鍋２の底部に当接され、前記弾性部材１３の他端は、前記第１の収容溝１２２の底部に当接される。前記係止ピン１１１と前記係止口１２１が係合される場合、前記調理鍋２の底部を介して前記弾性部材１３を加圧して、前記係止ピン１１１と前記係止口１２１の係合が完成した後、前記弾性部材１３は、反作用力により前記調理鍋２に上向きの支持力を発生させて、前記係止ピン１１１と前記係止口１２１が堅固に係合される。
【００２６】
なお、本発明の実施例において、留意すべき点は、この場合、本実施例における前記係止ピン１１１（または前記係止口１２１）は、前記第１のスルーホール１１２の外側壁に設置され、前記係止口１２１（または前記係止ピン１１１）は、前記第１の収容溝１２２の側壁に設置される。
【００２７】
本発明の実施例において、前記弾性部材１３の数は、２つ、３つ、４つなどのように、実際の使用ニーズに応じて設定されることができる。前記係止ピン１１１と前記係止口１２１の係合時のロック力を向上させるように、前記調理鍋２の底部に対する前記弾性部材１３の上向き支持力を向上させるために、本実施例における前記弾性部材１３は、３つであることが好ましく、対応的に、前記位置決めピン１２３は、３つであり、前記弾性部材１３と前記位置決めピン１２３は、一対一で対応される関係である。
【００２８】
なお、本発明の実施例において、留意すべき点は、前記弾性部材１３は、スプリングであり、もちろん、前記調理鍋２の上向き支持力を十分に満足する限り、前記弾性部材１３は他の弾性材料を採用することもでき、ここでこれ以上説明しない。
【００２９】
図２ないし図７に示したように、前記係止ピン１１１と前記係止口１２１の係合時のロック力をさらに向上させるように、前記調理鍋２の底部に対する前記弾性部材１３の上向き支持力をさらに向上させるために、本実施例の前記フランジアセンブリ１は、プッシュ式スプリング内部カバー１４とプッシュ式スプリング外部カバー１５をさらに含み、前記プッシュ式スプリング内部カバー１４の外壁には、第１の環状鍔１４１が設置され、前記プッシュ式スプリング内部カバー１４には第２の収容溝１４２がさらに設置され、前記プッシュ式スプリング外部カバー１５は、ベース１５１と、前記ベース１５１に設置された第１のボス１５２とを含み、前記プッシュ式スプリング外部カバー１５には、その上部と下部の表面を貫通する第２のスルーホール１５３が設置され、前記第２のスルーホール１５３の内壁には、第２の環状鍔１５４が設置され、前記プッシュ式スプリング内部カバー１４は、前記第２の収容溝１４２を介して前記弾性部材１３にカバー設置され、前記プッシュ式スプリング外部カバー１５は、前記第２のスルーホール１５３を介して前記プッシュ式スプリング内部カバー１４にスリーブされ、前記第１の環状鍔１４１と前記第２の環状鍔１５４は対向されるように設置され、また前記第２の環状鍔１５４の下側に設置され、前記プッシュ式スプリング外部カバー１５は、前記ベース１５１を介して前記第１の収容溝１２２の底部に固定連結され、前記係止ピン１１１と前記係止口１２１が係合される場合、前記弾性部材１３の一端は、前記第２の収容溝１４２の底部を介して前記調理鍋２の底部に当接される。前記弾性部材１３を介して前記プッシュ式スプリング内部カバー１４に上向き支持力を印加することにより、前記プッシュ式スプリング内部カバー１４が前記調理鍋２の底部に当接され、それによって前記プッシュ式スプリング内部カバー１４が前記調理鍋２の底部に上向き支持力を発生するようになり、前記プッシュ式スプリング内部カバー１４と前記調理鍋２の底部の接触面積が大きいため、前記プッシュ式スプリング内部カバー１４が前記調理鍋２の底部に発生する上向き支持力が大きく、それによって前記係止ピン１１１と前記係止口１２１の係合時のロック力を向上させる。
【００３０】
なお、本発明の実施例において、前記プッシュ式スプリング内部カバー１４が前記プッシュ式スプリング外部カバー１５から離脱されることを防止するために、前記第１の環状鍔１４１と前記第２の環状鍔１５４は対向されるように設置され、また前記第２の環状鍔１５４の下側に設置され、同時に前記第１の環状鍔１４１と前記第２の環状鍔１５４の係合を利用して、前記プッシュ式スプリング内部カバー１４が前記調理鍋２の底部に対する上向き支持力を向上させ、それによって前記係止ピン１１１と前記係止口１２１の係合時のロック力をさらに向上させることもできる。
【００３１】
図２ないし図７に示したように、前記プッシュ式スプリング外部カバー１５が前記ベース１５１を介して前記第１の収容溝１２２の底部に固定連結されるように構造を合理化するために、本実施例の前記ベース１５１の底部には、その上部と下部の表面を貫通する第５のスルーホール１５１１が設置され、前記第１の収容溝１２２の底部には、第６のスルーホール１２２１が設置され、前記第５のスルーホール１５１１を第１のねじを介して前記第６のスルーホール１２２１に連結される。
【００３２】
図２ないし図８に示したように、前記第１のフランジ１１が前記第２のフランジ１２に係合時に偏心が発生しないように、前記プッシュ式スプリング内部カバー１４を前記第１のフランジ１１の前記第１のスルーホール１１２内に入るようにするために、本実施例における前記フランジアセンブリ１は、ガイド部材１６をさらに含み、前記ガイド部材１６には、第３の収容溝１６１が設置され、前記ガイド部材１６は、前記第３の収容溝１６１を介して前記プッシュ式スプリング内部カバー１４にスリーブ連結され、前記ガイド部材１６の側壁と介して前記第１のスルーホール１１２の側壁とお互いに接触されて、前記プッシュ式スプリング内部カバー１４が前記第１のフランジ１１の前記第１のスルーホール１１２内に入るようにし、それによって前記第１のフランジ１１が前記第２のフランジ１２に係合時に偏心が発生することを防止する。
【００３３】
図２ないし図８に示したように、前記ガイド部材１６の側壁と前記第１のスルーホール１１２の側壁がお互いに接触時の摩擦力を減少させるために、前記ガイド部材１６の側壁と前記第１のスルーホール１１２の側壁の接触面積を減少させるように、本実施例における前記ガイド部材１６の上部は、円錐台形状であり、それによって、前記ガイド部材１６が前記第１のスルーホール１１２に入る時の摩擦力を減少させる。
【００３４】
図２ないし図８に示したように、前記ガイド部材１６が前記第３の収容溝１６１を介して前記プッシュ式スプリング内部カバー１４にスリーブ連結されるように構造を合理化するために、前記プッシュ式スプリング内部カバー１４には、第７のスルーホール１４３が設置され、前記第３の収容溝１６１の底部には、その底部を貫通する第８のスルーホール１６１１が設置され、前記第８のスルーホール１６１１は、第２のねじを介して前記第７のスルーホール１４３に連結される。
【００３５】
図２、図９、図１０および図１１に示したように、前記調理鍋２が前記内部容器３１に装着される時に偏心が発生することを防止して、前記調理鍋２の回転に影響を与えないように、本実施例における前記調理鍋の組み合わせ装置は、弾性支持装置６をさらに含み、前記弾性支持装置６は、環状ベース６１と、前記環状ベース６１に均一に分布された複数の弾性支持構造６２とを含み、前記環状ベース６１には、少なくとも１つの装着部６１１が設置され、前記環状ベース６１と内部容器の最上部３１１はお互いに接触され、前記環状ベース６１は、前記装着部６１１を介して前記ブラケット４に固定連結され、前記弾性支持構造６２は、装着シート６２１、加圧部材６２２、最上部軸６２３、最上部ビーズ６２４および第２の弾性部材６２５を含み、前記装着シート６２１には、第３のスルーホール６２１１が設置され、前記最上部軸６２３の一端は、前記加圧部材６２２に固定連結され、前記最上部軸６２３の他端は、前記第３のスルーホール６２１１を貫通し、前記最上部軸６２３の側面には、第２のボス６２３１が設置され、前記第２の弾性部材６２５は、前記最上部軸６２３にスリーブされ、前記第２の弾性部材６２５の一端は、前記加圧部材６２２に当接され、前記第２の弾性部材６２５の他端は、前記第２のボス６２３１の一端に当接され、前記第２のボス６２３１の他端は、前記装着シート６２１に当接され、前記加圧部材６２２は、前記装着シート６２１に固定連結され、前記最上部ビーズ６２４は、前記最上部軸６２３の他端に固定連結され、前記弾性支持構造６２は、前記装着シート６２１を介して前記環状ベース６１に固定連結され、前記調理鍋２が前記加熱装置３に装着される場合、前記最上部ビーズ６２４は、前記調理鍋２の外側壁に当接される。前記調理鍋２が前記加熱装置３に装着される場合、前記調理鍋２の外側壁は、均一に分布された前記弾性支持構造６２の最上部ビーズ６２４を押圧して、前記第２の弾性部材６２５が圧縮されるようにし、前記調理鍋２が装着完了された後、前記調理鍋２の位置を調節するために、前記第２の弾性部材６２５の反作用力が均一に分布された前記弾性支持構造６２の最上部ビーズ６２４を介して前記調理鍋２の外側壁に作用され、それによって前記調理鍋２の偏心を自動的に補正して、さらに前記駆動装置５が前記調理鍋２を安定的に回転するように駆動させることができる。
【００３６】
本発明の実施例において、前記弾性支持構造６２の数は、３つ、４つ、５つなどのように、実際の使用ニーズに応じて設定されることができる。前記調理鍋２の偏心が自動的に補正されるように、前記調理鍋２に対する前記弾性支持構造６２のセンタリング作用を向上させるために、本実施例における前記弾性支持構造６２は、４つであり、４つの前記弾性支持構造６２は、前記環状ベース６１に円形に配列される。
【００３７】
図２、図１２および図１３に示したように、前記調理鍋の組み合わせ装置を保護して損傷させないように、前記調理鍋の組み合わせ装置の内部を密閉された空間を形成するために、本実施例における前記調理鍋の組み合わせ装置は、保護シェル７をさらに含み，前記調理鍋２、前記加熱装置３、前記ブラケット４および前記駆動装置５はすべて、前記保護シェル７内に収容され、前記保護シェル７は、上部保護シェル７１および下部保護シェル７２を含み、前記ブラケット４は、ブラケット本体４１と、前記ブラケット本体４１に設置された少なくとも１つの連結アーム４２と、を含み、前記連結アーム４２の上部には、第１の挿入連結部４２１が設置され、前記上部保護シェル７１には、第１の挿入連結口７１１が設置され、前記第１の挿入連結部４２１は、前記第１の挿入連結口７１１内に挿入設置され、前記連結アーム４２の下部には、第２の挿入連結部４２２が設置され、前記下部保護シェル７２には、第２の挿入連結口７２１が設置され、前記第２の挿入連結部４２２は、前記第２の挿入連結口７２１内に挿入設置される。前記上部保護シェル７１、前記下部保護シェル７２と前記ブラケット４の挿入連結を介して、前記上部保護シェル７１の底部と前記下部保護シェル７２の最上部が貼り合わされ、同時に前記調理鍋２のインサート結合を結び付けて、前記調理鍋の組み合わせ装置の内部に密封空間を形成する。
【００３８】
なお、留意すべき点は、本発明の実施例において、前記連結アーム４２の形状は、Ｖ型であり、前記第１の挿入連結部４２１は、前記連結アーム４２の一分岐に設置され、前記第２の挿入連結部４２２は、前記連結アーム４２の他の一分岐に設置される。
【００３９】
本発明の実施例において、前記連結アーム４２の数は、１つ、２つ、３つなどのように、実際の使用ニーズに応じて設定されることができる。前記上部保護シェル７１、前記下部保護シェル７２が前記ブラケット４に堅固に挿入連結されるように、本実施例における前記連結アーム４２は、２つであることが好ましく、２つの前記連結アーム４２は、前記ブラケット本体４１で円形に配列され、対応的に、前記装着部６１１も２つであり、前記環状ベース６１と前記連結アーム４２が堅固に固定されて、前記環状ベース６１と内部容器の最上部３１１が密着されるように、２つの前記装着部６１１は、前記環状ベース６１で円形に配列される。
【００４０】
本発明の実施例において、前記ブラケット４の製造難易度を減少させて、コストを削減するために、好ましくは、本実施例における前記ブラケット本体４１と前記連結アーム４２は、鈑金で一体に成形されることが好ましい。もちろん、前記ブラケット本体４１と前記連結アーム４２は、別々に成形された後、一緒に連結することもでき、ここでこれ以上説明しない。
【００４１】
図２に示したように、前記加熱装置３が前記ブラケット４に固定連結されるように構造を合理化するために、本実施例における前記ブラケット４は、支持シート４３をさらに含み、前記ハウジング３２は、前記支持シート４３を介して前記ブラケット４に固定連結され、前記支持シート４３には、第４のスルーホール４３１が設置され、前記第１のフランジ１１は、前記内部容器３１の底部、前記ハウジング３２の底部および前記第４のスルーホール４３１を順次に貫通する。具体的に、前記支持シート４３には、装着ボルダ４３２が設置され、前記支持シート４３は、前記装着ボルダ４３２を介して前記ブラケット本体４１に固定連結される。
【００４２】
図２および図５に示したように、前記第２のフランジ１２が前記駆動装置５に回動可能に連結されるように構造を合理化するために、本実施例における前記駆動装置５は、モータであり、前記第２のフランジ１２の底部には、連結ホール１２４が設置され、前記第２のフランジ１２は、前記連結ホール１２４を介して前記モータ５の出力軸に回動可能に連結される。なお、本発明の実施例において、前記フランジアセンブリ１に対する前記モータ５の駆動トルクを向上させるために、本実施例における前記連結ホールの断面は六角形であり、対応的に、前記モータ５の出力軸の断面は六角形であり、もちろん、前記フランジアセンブリ１に対する前記モータ５の駆動トルクを向上させることができる限り、本発明の実施例において、前記連結ホール１２４の断面は円形またはその他の任意の形状であることができ、ここでこれ以上説明しない。
【００４３】
図１および図２に示したように、前記調理鍋の反転を実現するために、本実施例における前記調理鍋の組み合わせ装置は、フレーム（図示せず）をさらに含み、１つの前記連結アーム４２は、第１のスピン軸８を介して前記フレームに回転可能に連結され、別の前記連結アーム４２は、第２のスピン軸９を介して前記フレームに回転可能に連結される。
【００４４】
図２、図４および図１４に示したように、前記第１のフランジ１１が前記調理鍋２の底部に固定連結されるように構造を合理化するために、本実施例における前記第１のフランジ１１の底部には、その上部と下部の表面を貫通する少なくとも１つの装着ホール１１３が設置され、前記調理鍋２の底部には、少なくとも１つのスタンド２１が設置され、前記スタンド２１と前記装着ホール１１３は、着脱可能に連結される。
【００４５】
本発明の実施例において、前記スタンド２１の数は、３つ、４つ、５つなどのように、実際の使用ニーズに応じて設定されることができる。前記第１のフランジ１１が前記調理鍋２の底部に堅固に係合することができ、コストを低減させるように構造を簡素化するために、本実施例における前記スタンド２１の数は、４つであることが好ましく、対応的に、前記装着ホール１１３の数は、４つであり、前記スタンド２１と前記装着ホール１１３は、一対一で対応される関係である。
【００４６】
図１および図１４に示したように、前記調理機の調理鍋の交換時に、前記調理鍋２の開口によってユーザが傷つけ、ユーザに与える被害を防止するために、本実施例における前記調理鍋２の開口には、プランジング構造２２が設置される。なお、前記プランジング構造２２の設計は、ゴミなど雑物が前記密封空間内に落ちるのを防止することもできる。
【００４７】
なお、本実用新案の実施例において、留意すべき点は、本実施例における前記プランジング構造２２は、アーク構造または直角構造を採用することができ、前記プランジング構造２２の大きさは、前記調理鍋２の開口により、ユーザを傷つけない限り、一定の範囲内で調節可能であり、ここでこれ以上説明しない。
【００４８】
要約すると、本発明によって提供される調理鍋の組み合わせ装置は、フランジアセンブリ１、調理鍋２、加熱装置３、ブラケット４および駆動装置５を含み、加熱装置３は、内部容器３１およびハウジング３２を含み、フランジアセンブリ１は、第１のフランジ１１および第２のフランジ１２を含み、ハウジング３２は、ブラケット４に固定連結され、内部容器３１は、ハウジング３２内に収容され、調理鍋２は、内部容器３１に装着され、第１のフランジ１１は、調理鍋２の底部に連結され、第１のフランジ１１は、内部容器３１およびハウジング３２の底部を順次に貫通し、第１のフランジ１１は、第２のフランジ１２に着脱可能に連結され、第２のフランジ１２は、駆動装置５に回動可能に連結され、駆動装置５は、ブラケット４に固定連結される。調理鍋２の交換時に、第１のフランジ１１を第２のフランジ１２から迅速に取り外させて、調理鍋２と駆動装置５の分離を完了することができるので、調理鍋２の迅速な脱着を実現し、また第１のフランジ１１を介して新しい調理鍋２を第２のフランジ１２に着脱可能に連結させて、フランジアセンブリ１を介して調理鍋２を駆動装置５に迅速に装着することができるので、調理鍋２の迅速な交換を実現することができる。
【００４９】
以上の説明は、本発明の好ましい実施形態であるだけで、当業者は、本発明の技術的原理を逸脱しなく、様々な改善や交換を行うことができることに留意されたい。また、これらの改善と交換も本発明の保護範囲とみなされるべきである。
【符号の説明】
【００５０】
１  フランジアセンブリ、
１１  第１のフランジ、
１１１  係止ピン、
１１２  第１のスルーホール、
１１３  装着ホール、
１２  第２のフランジ、
１２１  係止口、
１２２  第１の収容溝、
１２２１  第５のスルーホール、
１２３  位置決めピン、
１２４  連結ホール、
１３  弾性部材、
１４  プッシュ式スプリング内部カバー、
１４１  第１の環状鍔、
１４２  第２の収容溝、
１４３  第７のスルーホール、
１５  プッシュ式スプリング外部カバー、
１５１  ベース、
１５１１  第６のスルーホール、
１５２  第１のボス、
１５３  第２のスルーホール、
１５４  第２の環状鍔、
１６  ガイド部材、
１６１  第３の収容溝、
１６１１  第８のスルーホール、
２  調理鍋、
２１  スタンド、
２２  プランジング構造、
３  加熱装置、
３１  内部容器、
３１１  内部容器の最上部、
３２  ハウジング、
４  ブラケット、
４１  ブラケット本体、
４２  連結アーム、
４２１  第１の挿入連結部、
４２２  第２の挿入連結部、
４３  支持シート、
４３１  第４のスルーホール、
４３２  装着ボルダ、
５  駆動装置、
６  弾性支持装置、
６１  環状ベース、
６１１  装着部、
６２  弾性支持構造、
６２１  装着シート、
６２１１  第３のスルーホール、
６２２  加圧部材、
６２３  最上部軸、
６２３１  第２のボス、
６２４  最上部ビーズ、
６２５  第２の弾性部材、
７  保護シェル、
７１  上部保護シェル、
７１１  第１の挿入連結口、
７２  下部保護シェル、
７２２  第２の挿入連結口、
８  第１のスピン軸、
９  第２のスピン軸。
【図１】
2021501643.tif 000003
【図２】
2021501643.tif 000004
【図３】
2021501643.tif 000005
【図４】
2021501643.tif 000006
【図５】
2021501643.tif 000007
【図６】
2021501643.tif 000008
【図７】
2021501643.tif 000009
【図８】
2021501643.tif 000010
【図９】
2021501643.tif 000011
【図１０】
2021501643.tif 000012
【図１１】
2021501643.tif 000013
【図１２】
2021501643.tif 000014
【図１３】
2021501643.tif 000015
【図１４】
2021501643.tif 000016
【手続補正書】
【提出日】令和2年6月9日(2020.6.9)
【手続補正１】
【補正対象書類名】特許請求の範囲
【補正対象項目名】全文
【補正方法】変更
【補正の内容】
【特許請求の範囲】
【請求項１】
調理鍋の迅速な交換を実現するフランジアセンブリであって、
第１のフランジ、第２のフランジおよび少なくとも１つの弾性部材を含み、前記第１のフランジは、前記調理鍋の底部に固定連結され、前記第１のフランジは、前記第２のフランジに脱着可能に係合され、前記第２のフランジは、駆動装置に回動可能に連結され、前記第１のフランジには、その上部と下部の表面を貫通する第１のスルーホールが設置され、前記第２のフランジには、第１の収容溝が設置され、前記第１の収容溝の底部には、少なくとも１つの位置決めピンが設置され、前記弾性部材は、前記位置決めピンにスリーブされ、
前記第１のフランジが前記第２のフランジに係合される場合、前記弾性部材の一端は、前記第１のスルーホールを通過して前記調理鍋の底部に当接され、前記弾性部材の他端は、前記第１の収容溝の底部に当接されることにより、前記フランジアセンブリを介して前記調理鍋を前記駆動装置に迅速に装着することができ、前記調理鍋の交換時に、前記第１のフランジを前記第２のフランジから脱着させて、前記調理鍋と前記駆動装置の快速な分離を完了することを特徴とする、フランジアセンブリ。
【請求項２】
前記第１のフランジの側面には、少なくとも１つの係止ピンが設置され、前記第２のフランジの側面には、少なくとも１つの係止口が設置され、前記係止ピンは、前記係止口に係合され、または
前記第１のフランジの側面には、少なくとも１つの係止口が設置され、前記第２のフランジの側面には、少なくとも１つの係止ピンが設置され、前記係止ピンは、前記係止口に係合されることを特徴とする、
請求項１に記載のフランジアセンブリ。
【請求項３】
前記係止口は、Ｕ型であり、前記係止口の一端は、密閉ポートであり、前記係止口の他端は、開放ポートであり、
前記第１のフランジと前記第２のフランジが係合される場合、前記係止ピンは前記係止口の開放ポートから前記係止口内に入り、前記調理鍋を回動させて、前記係止ピンを前記係止口の密閉ポートに係合させ、前記係止口の密閉ポートと前記係止口の開放ポートは、特定の垂直距離だけ離れていることを特徴とする、
請求項２に記載のフランジアセンブリ。
【請求項４】
前記フランジアセンブリは、プッシュ式スプリング内部カバーとプッシュ式スプリング外部カバーをさらに含み、前記プッシュ式スプリング外部カバーは、前記第２のフランジの前記第１の収容溝に固定連結され、前記プッシュ式スプリング外部カバーには、その上部と下部の表面を貫通する第２のスルーホールが設置され、前記プッシュ式スプリング外部カバーは、前記第２のスルーホールを介して前記プッシュ式スプリング内部カバーにスリーブされ、前記プッシュ式スプリング内部カバーは前記プッシュ式スプリング外部カバーから離脱されず、前記第１のフランジと前記第２のフランジが係合される場合、前記弾性部材を介して前記プッシュ式スプリング内部カバーに上向き支持力を印加することにより、前記プッシュ式スプリング内部カバーが前記調理鍋の底部に当接されて、前記プッシュ式スプリング内部カバーが前記調理鍋の底部に上向き支持力を発生するようになることを特徴とする、
請求項１に記載のフランジアセンブリ。
【請求項５】
前記プッシュ式スプリング内部カバーの外壁には、第１の環状鍔が設置され、前記プッシュ式スプリング内部カバーには、第２の収容溝がさらに設置され、前記プッシュ式スプリング外部カバーは、ベースと、前記ベースに設置された第１のボスとを含み、前記第２のスルーホールの内壁には、第２の環状鍔が設置され、前記プッシュ式スプリング内部カバーは、前記第２の収容溝を介して前記弾性部材にカバー設置され、前記第１の環状鍔と前記第２の環状鍔は対向されるように設置され、また前記第２の環状鍔の下側に設置され、前記プッシュ式スプリング外部カバーは、前記ベースを介して前記第１の収容溝の底部に固定連結され、前記第１のフランジが前記第２のフランジに係合する場合、前記弾性部材の一端は、前記第２の収容溝の底部を介して前記調理鍋の底部に当接されることを特徴とする、
請求項４に記載のフランジアセンブリ。
【請求項６】
前記フランジアセンブリは、ガイド部材をさらに含み、前記ガイド部材には、第３の収容溝が設置され、前記ガイド部材は、前記第３の収容溝を介して前記プッシュ式スプリング内部カバーにスリーブ連結され、
前記ガイド部材の側壁と前記第１のスルーホールの側壁がお互いに接触されることにより、前記プッシュ式スプリング内部カバーが前記第１のスルーホール内に入るようにすることを特徴とする、
請求項５に記載のフランジアセンブリ。
【請求項７】
調理鍋の組み合わせ装置であって、
調理鍋、加熱装置、ブラケット、駆動装置および請求項１〜６のいずれか一項に記載の調理鍋の迅速な交換を実現するフランジアセンブリを含み、前記加熱装置は、内部容器およびハウジングを含み、前記ハウジングは、前記ブラケットに固定連結され、前記内部容器は、前記ハウジング内に収容され、前記調理鍋は、前記内部容器に装着され、前記第１のフランジは、前記調理鍋の底部に連結され、前記第１のフランジは、前記内部容器および前記ハウジングの底部を順次に貫通し、前記第２のフランジは、前記駆動装置に回動可能に連結され、前記駆動装置は、前記ブラケットに固定連結されることを特徴とする、調理鍋の組み合わせ装置。
【請求項８】
前記第１のフランジの側面には、少なくとも１つの係止ピンが設置され、前記第２のフランジの側面には、少なくとも１つの係止口が設置され、前記係止ピンは、前記係止口に係合され、または
前記第１のフランジの側面には、少なくとも１つの係止口が設置され、前記第２のフランジの側面には、少なくとも１つの係止ピンが設置され、前記係止ピンは、前記係止口に係合されることを特徴とする、
請求項７に記載の調理鍋の組み合わせ装置。
【請求項９】
前記係止口は、Ｕ型であり、前記係止口の一端は、密閉ポートであり、前記係止口の他端は、開放ポートであり、
前記第１のフランジと前記第２のフランジが係合される場合、前記係止ピンは前記係止口の開放ポートから前記係止口内に入り、前記調理鍋を回動させて、前記係止ピンを前記係止口の密閉ポートに係合させ、
各前記係止口の密閉ポートと前記係止口の開放ポートは、特定の垂直距離が離れていることを特徴とする、
請求項８に記載の調理鍋の組み合わせ装置。
【請求項１０】
前記フランジアセンブリは、プッシュ式スプリング内部カバーとプッシュ式スプリング外部カバーをさらに含み、前記プッシュ式スプリング外部カバーは、前記第２のフランジの前記第１の収容溝に固定連結され、前記プッシュ式スプリング外部カバーには、その上部と下部の表面を貫通する第２のスルーホールが設置され、前記プッシュ式スプリング外部カバーは、前記第２のスルーホールを介して前記プッシュ式スプリング内部カバーにスリーブされ、前記プッシュ式スプリング内部カバーは前記プッシュ式スプリング外部カバーから離脱されず、前記第１のフランジが前記第２のフランジに係合する場合、前記弾性部材を介して前記プッシュ式スプリング内部カバーに上向き支持力を印加することにより、前記プッシュ式スプリング内部カバーが前記調理鍋の底部に当接されて、前記プッシュ式スプリング内部カバーが前記調理鍋の底部に上向き支持力を発生するようになることを特徴とする、
請求項７に記載の調理鍋の組み合わせ装置。
【請求項１１】
前記プッシュ式スプリング内部カバーの外壁には、第１の環状鍔が設置され、前記プッシュ式スプリング内部カバーには、第２の収容溝がさらに設置され、前記プッシュ式スプリング外部カバーは、ベースと、前記ベースに設置された第１のボスとを含み、前記第２のスルーホールの内壁には、第２の環状鍔が設置され、前記プッシュ式スプリング内部カバーは、前記第２の収容溝を介して前記第１の弾性部材にカバー設置され、前記第１の環状鍔と前記第２の環状鍔は対向されるように設置され、また前記第２の環状鍔の下側に設置され、前記プッシュ式スプリング外部カバーは、前記ベースを介して前記第１の収容溝の底部に固定連結され、前記第1のフランジが前記第２のフランジに係合する場合、前記弾性部材の一端は第２の収容溝の底部を介して前記調理鍋の底部に当接されることを特徴とする、
請求項１０に記載の調理鍋の組み合わせ装置。
【請求項１２】
前記フランジアセンブリは、ガイド部材をさらに含み、前記ガイド部材には、第３の収容溝が設置され、前記ガイド部材は、前記第３の収容溝を介して前記プッシュ式スプリング内部カバーにスリーブ連結され、
前記ガイド部材の側壁と前記第１のスルーホールの側壁がお互いに接触されることにより、前記プッシュ式スプリング内部カバーが前記第１のスルーホール内に入ることを特徴とする、
請求項１０に記載の調理鍋の組み合わせ装置。
【請求項１３】
前記調理鍋の組み合わせ装置は、弾性支持装置をさらに含み、前記弾性支持装置は、環状ベースと、前記環状ベースに均一に分布された複数の弾性支持構造とを含み、前記環状ベースには、少なくとも１つの装着部が設置され、前記環状ベースと内部容器の最上部はお互いに接触され、前記環状ベースは、前記装着部を介して前記ブラケットに固定連結され、前記弾性支持構造は、装着シート、加圧部材、最上部軸、最上部ビーズおよび第２の弾性部材を含み、前記装着シートには、第３のスルーホールが設置され、前記最上部軸の一端は、前記加圧部材に固定連結され、前記最上部軸の他端は、前記第３のスルーホールを貫通し、前記最上部軸の側面には、第２のボスが設置され、前記第２の弾性部材は、前記最上部軸にスリーブされ、前記第２の弾性部材の一端は、前記加圧部材に当接され、前記第２の弾性部材の他端は、前記第２のボスの一端に当接され、前記第２のボスの他端は、前記装着シートに当接され、前記加圧部材は、前記装着シートに固定連結され、前記最上部ビーズは、前記最上部軸の他端に固定連結され、前記弾性支持構造は、前記装着シートを介して前記環状ベースに固定連結され、前記調理鍋が前記加熱装置に装着される場合、前記最上部ビーズは、前記調理鍋の外側壁に当接されることを特徴とする、
請求項７に記載の調理鍋の組み合わせ装置。
【請求項１４】
前記調理鍋の組み合わせ装置は、保護シェルをさらに含み、前記調理鍋、前記加熱装置、前記ブラケットおよび前記駆動装置はすべて、前記保護シェル内に収容され、前記保護シェルは、上部保護シェルおよび下部保護シェルを含み、前記ブラケットは、ブラケット本体と、前記ブラケット本体に設置された少なくとも１つの連結アームとを含み、前記連結アームの上部には、第１の挿入連結部が設置され、前記上部保護シェルには、第１の挿入連結口が設置され、前記第１の挿入連結部は、前記第１の挿入連結口内に挿入設置され、前記連結アームの下部には、第２の挿入連結部が設置され、前記下部保護シェルには、第２の挿入連結口が設置され、前記第２の挿入連結部は、前記第２の挿入連結口内に挿入設置されることを特徴とする、
請求項７に記載の調理鍋の組み合わせ装置。
【請求項１５】
前記ブラケットは、支持シートをさらに含み、前記ハウジングは、前記支持シートを介して前記ブラケットに固定連結され、前記支持シートには、第４のスルーホールが設置され、前記第１のフランジは、前記内部容器の底部、前記ハウジングの底部および前記第４のスルーホールを順次に貫通することを特徴とする、
請求項７に記載の調理鍋の組み合わせ装置。
【手続補正３】
【補正対象書類名】明細書
【補正対象項目名】０００１
【補正方法】変更
【補正の内容】
【０００１】
本発明は、スマート家電製品技術分野に関し、特に、調理鍋の迅速な交換を実現するフランジアセンブリ及びこのフランジアセンブリを利用する調理鍋の組み合わせ装置に関する。
【手続補正４】
【補正対象書類名】明細書
【補正対象項目名】０００４
【補正方法】変更
【補正の内容】
【０００４】
本発明の目的は、使用寿命に達した時に迅速な交換が不可能な既存の調理鍋の技術的課題を解決することにより、調理鍋の迅速な交換を実現するための調理鍋の迅速な交換を実現するフランジアセンブリ及びこのフランジアセンブリを利用する調理鍋の組み合わせ装置を提供するものである。
【国際調査報告】
2021501643.tif 000017
2021501643.tif 000018
2021501643.tif 000019
2021501643.tif 000020
2021501643.tif 000021
2021501643.tif 000022